(57)【要約】【課題】指向感度のピークを下方に向けて、製品に対する特性を向上させるリモコン受光装置を提供する。【解決手段】高所に設置される機器に取り付けられ、光軸が水平方向を指向するように搭載部２に設けられた受光素子３の前面に集光レンズ６を配設したリモコン受光装置１において、受光素子３は、水平方向の長さが鉛直方向の長さより長い矩形に形成されていると共に、その光軸が、集光レンズ６の光軸より相対的に上方に配置されていることを特徴とするリモコン受光装置としたものであり、受光素子３の水平方向の長さが鉛直方向の長さより長いので、指向範囲が水平方向に広くなり、また、受光素子３の光軸が集光レンズ６の光軸より上方に配置されているので、指向感度のピークの向きが下側に向く。【選択図】　図１
2004022932.tif 000002
【特許請求の範囲】
【請求項１】
高所に設置される機器に取り付けられ、光軸が水平方向を指向するように搭載部に設けられた受光素子の前面に集光レンズを配設したリモコン受光装置において、
前記受光素子は、水平方向の長さが鉛直方向の長さより長い矩形に形成されていると共に、その光軸が、前記集光レンズの光軸より相対的に上方に配置されていることを特徴とするリモコン受光装置。
【請求項２】
前記受光素子は、受光感度が等しい正方形の受光素子より水平方向の長さが長く、鉛直方向の長さが短いことを特徴とする請求項１に記載のリモコン受光装置。
【請求項３】
前記受光素子の面積は、前記正方形の受光素子の面積と実質的に同じであることを特徴とする請求項２に記載のリモコン受光装置。
【発明の詳細な説明】
【０００１】
【発明の属する技術分野】
本発明は、高所に設置された機器に用いられるリモコン受光装置に関する。
【０００２】
【従来の技術】
冷暖房機能を備えたエアコンディショナー（以下、エアコンと称す）は、冷気で部屋を冷やすため、空気が循環しやすいように部屋の上部に設置されている。このエアコンを操作するためには、ＴＶやＶＴＲと同様に赤外線リモコンが用いられることが多い。操作者は、エアコンの斜め下方の広い範囲から、リモコン発光装置を手元で操作して、エアコンに設けられたリモコン受光装置に所定の動作に対応する信号を送る。この信号は、リモコン受光装置からエアコン内の本体回路に伝達され、所定の動作が行われる。
【０００３】
図４（Ａ）は従来例に係るリモコン受光装置の部分正断面図、（Ｂ）は同側面図、（Ｃ）は同底面図である。
【０００４】
図４（Ａ）〜（Ｃ）に示すように、リモコン受光装置７０は、搭載部７１と、この搭載部７１上に搭載した一辺の長さがｃの正方形の受光素子７２および駆動用ＩＣ７３と、搭載部７１の一端に一体的に接続されたリード部７６と、この両側にそれぞれ平行に配置されたリード部７６ａと、受光素子７２を覆うエポキシ樹脂からなる集光レンズ７４と、集光レンズ７４と一体的に成形、固化され、搭載部７１およびリード部７６，７６ａの基端部を封止した樹脂モールド部７５とを有している。集光レンズ７４の光軸と受光素子７２の光軸を通過する法線は一致している。
【０００５】
図５（Ａ）は従来例に係るリモコン受光装置の鉛直方向の指向特性図、（Ｂ）は同リモコン受光装置の水平方向の指向特性図を示す。
【０００６】
図５（Ａ）、（Ｂ）に示すように、このリモコン受光装置７０の指向特性は、受光角度および光出力相対値の関係をそれぞれ周方向および半径方向に表したグラフ上において、集光レンズ７４の光軸の方向が長軸の方向に一致する楕円形を示す。この楕円を鉛直方向および水平方向から見たときの形状は同じで、一定のピーク値と広がりを有している。
【０００７】
このリモコン受光装置は、通常は、本体回路内の本体基板に垂直又は平行に固定、接続され、ＴＶやＶＴＲと同様に、光軸を正面方向に向けて配置されている。
【０００８】
【発明が解決しようとする課題】
しかしながら、これらの機器のリモコン受光装置の感度は、正面方向に対して最大となるが、エアコン等の高所に設置された機器は、ＴＶやＶＴＲ等とは異なり、光軸に対して下側から操作されるため、感度が低下する傾向にある。また、機器に対して側方から操作される場合もあるが、この方向の感度も足りないことがある。
【０００９】
感度を向上させるためには、まず、リモコン受光装置に搭載してある受光素子の大きさを大きくすることが考えられるが、このように構成すると、機器の正面より上方の不必要な部分の感度まで向上するため、効率が悪く、材料が無駄になって製造コストが増加すると共にパッケージサイズが大きくなるという問題がある。
【００１０】
また、リモコン受光装置のリード端子を曲げて、光軸を下方に向けて取り付けることも可能であるが、端子の屈曲角度の管理に手間がかかり、また、取り付け角度を規制するための保持部材が別途必要になったりするため、機器の製造に手間がかかると共に保持部材のコストも発生するという問題がある。
【００１１】
そこで本発明は、水平方向の指向範囲を広げるとともに指向感度のピークを下方に向けて、高所設置機器に対する特性を向上させるリモコン受光装置を提供することを目的とする。
【００１２】
【課題を解決するための手段】
本発明のリモコン受光装置においては、受光素子の水平方向の長さを鉛直方向の長さより長い矩形に形成し、受光素子の光軸を、集光レンズの光軸より相対的に上方に配置したものである。
【００１３】
この発明によれば、水平方向の指向範囲を広げるとともに指向感度のピークを下方に向けて、高所設置機器に対する受光特性を向上させて下方の広い範囲から操作できるリモコン受光装置が得られる。
【００１４】
【発明の実施の形態】
本発明の請求項１に記載の発明は、高所に設置される機器に取り付けられ、光軸が水平方向を指向するように搭載部に設けられた受光素子の前面に集光レンズを配設したリモコン受光装置において、前記受光素子は、水平方向の長さが鉛直方向の長さより長い矩形に形成されていると共に、その光軸が、前記集光レンズの光軸より相対的に上方に配置されていることを特徴とするリモコン受光装置としたものであり、受光素子の水平方向の長さが鉛直方向の長さより長いので、指向範囲が水平方向に広くなり、また、受光素子の光軸が集光レンズの光軸より上方に配置されているので、指向感度のピークの向きが水平方向より下側に向く。
【００１５】
請求項２に記載の発明は、前記受光素子は、受光感度が等しい正方形の受光素子より水平方向の長さが長く、鉛直方向の長さが短いことを特徴とする請求項１に記載のリモコン受光装置としたものであり、同じ受光感度の受光素子より水平方向の指向範囲を広くすると共に鉛直方向の指向範囲を狭くして、無駄な出力を抑えている。
【００１６】
請求項３に記載の発明は、前記受光素子の面積は、前記正方形の受光素子の面積と実質的に同じであることを特徴とする請求項２に記載のリモコン受光装置としたものである。同じ面積であると、水平方向の指向範囲を広くした分だけ鉛直方向の指向範囲が狭くなるが、通常、リモコン操作は高所に設置される機器の前方斜め下から行うため、鉛直方向の指向性を下方向に向けていることにより、鉛直方向の感度が悪くなることはなく、全体として、水平方向のリモコン操作可能エリアが拡張されることになる。また、正方形の受光素子と同じ面積にすることにより、受光素子を構成する半導体チップの同じウエハからの取り数を実質的に同じにして、材料の無駄が防止される。
【００１７】
以下、本発明の実施の形態について、図１から図３を用いて説明する。
【００１８】
図１（Ａ）は、本発明の一実施の形態に係るリモコン受光装置の部分正断面図、（Ｂ）は同側面図、（Ｃ）は同底面図を示す。図１においてリモコン受光装置１は、搭載部２と、この搭載部２上に搭載した矩形の受光素子３および駆動用ＩＣ４と、搭載部２の一端に配置されたリード部５と、リード部５の両側にそれぞれ平行に設けられたリード部５ａと、受光素子３を覆うエポキシ樹脂からなる集光レンズ６と、集光レンズ６と一体的に成形、固化され、搭載部２およびリード部５，５ａの基端部を封止した樹脂モールド部７とを有している。受光素子３は、リード部５および駆動用ＩＣ４にボンディングワイヤ１１でそれぞれ接続され、駆動用ＩＣ４は、リード部５，５ａにボンディングワイヤ１１を介してそれぞれ接続されている。
【００１９】
矩形の受光素子３の水平方向の長さａは、鉛直方向の長さｂより長く、例えば２倍の長さに形成されている。また、受光素子３の光軸は、集光レンズの光軸より上方に配置されている。
【００２０】
さらに、受光素子３の面積ａｂは、従来使用していた正方形の受光素子７２（図４参照）の面積ｃ２と同じで、受光感度も同じに形成されている。
【００２１】
図２（Ａ）は同リモコン受光装置の鉛直方向の指向特性図、（Ｂ）は同リモコン受光装置の水平方向の指向特性図を示す。
【００２２】
図２（Ａ）に示すように、受光素子３の鉛直方向の長さｂは、正方形の受光素子７２の鉛直方向の長さｃより短いので、指向特性の楕円は、短軸方向の幅が狭く細長い形状になっている。
【００２３】
しかし、受光素子３の光軸Ｃ２が、集光レンズの光軸Ｃ１より上方に配置されているので、指向特性の楕円の長軸方向は、受光素子３の中心と集光レンズの中心を結んだ直線の方向となり、受光素子３の下方からの光に対する受光距離は、正方形の受光素子７２より長くなっている。
【００２４】
図２（Ｂ）に示すように、受光素子３の水平方向の長さａは、正方形の受光素子７２の水平方向の長さｃより長いので、指向特性の楕円は、短軸方向の幅が広い形状になり、側方からの受信距離も長くすることができる。
【００２５】
このように、指向特性のピーク時の受光方向を下方に向けると共に、側方の指向特性の幅を広げたので、受信特性を格段に向上させることができる。
【００２６】
図３は、本実施の形態に係る受光素子を用いたエアコンの使用状態を示す説明図である。
【００２７】
部屋８の高所に設置された機器の一例であるエアコン９は、集光レンズの光軸を前方に向けたリモコン受光装置１を備えている。このリモコン受光装置１は、指向感度のピークを下方に向け、且つ、側方の指向特性の幅を広げている。
【００２８】
リモコン受光装置１は、エアコン９の斜め下方の離れた位置からリモコン発光装置１０によって操作される。
【００２９】
リモコン受光装置１は、指向感度のピークを下方に向け、且つ、側方の指向特性の幅を広げているので、受光素子のサイズやリモコン発光装置１０の駆動電流を上げなくても受光距離を長くすることができる。
【００３０】
【発明の効果】
以上のように本発明によれば、受光素子の水平方向の長さが鉛直方向の長さより長いので、指向範囲が水平方向に広くなり、側方からの受信性能を向上させることができる。また、受光素子の光軸が集光レンズの光軸より上方に配置されているので、指向感度のピークの向きが水平より下側に向き、下方からの受光距離を長くすることができる。
【００３１】
また、同じ受光感度を有する正方形の受光素子より受光素子の水平方向の長さを長くし、鉛直方向の長さを短くすると、同じ出力の受光素子より水平方向の指向範囲を広くして、側方からの受信性能を向上させることができる。また、鉛直方向の指向感度のピークが小さくなるので、無駄な出力を抑えることができる。
【００３２】
受光素子の面積を、正方形の受光素子の面積と同じにすると、受光素子を構成する半導体チップの同じウエハからの取り数を実質的に同じにして、材料の無駄が防止でき、コストの増加を抑えることができる。
【図面の簡単な説明】
【図１】（Ａ）は本発明の一実施の形態に係るリモコン受光装置の部分正断面図
（Ｂ）は同側面図
（Ｃ）は同底面図
【図２】（Ａ）は同リモコン受光装置の鉛直方向の指向特性図
（Ｂ）は同リモコン受光装置の水平方向の指向特性図
【図３】同受光素子を用いたエアコンの使用状態を示す説明図
【図４】（Ａ）は従来例に係るリモコン受光装置の部分正断面図
（Ｂ）は同側面図
（Ｃ）は同底面図
【図５】（Ａ）は同リモコン受光装置の鉛直方向の指向特性図
（Ｂ）は同リモコン受光装置の水平方向の指向特性図
【符号の説明】
１　リモコン受光装置
２　搭載部
３　受光素子
４　駆動用ＩＣ
５，５ａ　リード部
６　集光レンズ
７　樹脂モールド部
８　部屋
９　エアコン（機器）
１０　リモコン発光装置
１１　ボンディングワイヤ
【図１】
2004022932.tif 000003
【図２】
2004022932.tif 000004
【図３】
2004022932.tif 000005
【図４】
2004022932.tif 000006
【図５】
2004022932.tif 000007